(57)【要約】【目的】  大入賞口の入賞装置を簡潔に組立てられる構造にすると共に小型化を可能にした入賞装置を提供する。【構成】  内部に球飛入空間２１を有する前方に開放する本体枠１には左右の側板１１，１２に水平な板受部１７，１９を形成してこれに上面２２ａを後向きの勾配を付した球誘導板２２を前方から嵌め付けて棚設する。その一方、この本体枠１の左右に添わせて連結する左右の側枠２８，２９に向い合せに軸受部３４，３６を設け、これに左右の側部に支軸４０，４０を突設する開閉扉３０をこの側枠２８，２９を前記本体枠１に添わせる際に介挿し、上記支軸４０を前記軸受部３４，３６に軸着支持して組付けると共に、この本体枠の前面に取付基板２を、そして背面に裏カバー７を添わせ、この両者を連結結合させることを通して間に前記本体枠を挟み込み組立てるようにする。【選択図】        図３
2006014896.tif 000002
【特許請求の範囲】
【請求項１】
背板の前方に天板と底板及び左右の側板を延設して前面が開口する球飛入空間を形成する本体枠と、本体枠の前記左右の側板に添わせて相対向する左右の側枠と、前記本体枠の球飛入空間内に棚設される球誘導板と、前記本体枠の開口部に開閉自由に枢着される開閉扉とを有してなる入賞装置であって、
前記本体枠の左右の側板には内面に前後方向に水平な板受部を形成し、前方の開口部から差し入れる前記球誘導板の両端を受け止め前記球飛入空間内に水平に支持する一方、前記左右の側枠の対向面には前記板受部に近接させて軸受孔を形成し、該両側枠を前記本体枠の側板に添わせ固定する際に上記軸受孔に前記開閉扉の側面から突き出す支軸を嵌合させ軸承することにより開閉自由に枢着支持することを特徴とした入賞装置。
【請求項２】
背板の前方に天板と底板及び左右の側板を延設して前面が開口する球飛入空間を形成する本体枠と、本体枠の前記左右の側板に添わせて相対向する左右の側枠と、前記本体枠の球飛入空間内に棚設される球誘導板と、前記本体枠の開口部に開閉自由に枢着される開閉扉とを有してなる入賞装置であって、
前記本体枠の左右の側板の各内面には上下二段に間隔を置いて水平な板受部を形成し、該上下の板受部にそれぞれ球誘導板を二段に渡して上の球誘導板により球飛入空間を上下に２分し、上下２つの入賞室と開口部を形成する一方、前記側枠の対向面には前記上下の板受部を形成する近傍に上下の軸受孔を左右向い合せに形成し、該それぞれの軸受孔に上下の開閉扉の側部に突設する支軸を嵌合し軸承させて開閉自由に枢着支持することを特徴とした入賞装置。
【発明の詳細な説明】
【技術分野】
【０００１】
本発明は、パチンコ遊技機の入賞装置に関する。
【背景技術】
【０００２】
パチンコ遊技機の遊技盤面には打球を受け入れ入賞球とする入賞装置が設備されるが、本発明はこの入賞装置の中で、特に入賞球を受け入れる開口部に開閉自由に蝶着される開閉扉を有してなる所謂大入賞口或いはアタッカーと称される入賞装置（以下、単に「入賞装置」という。）に関するものである。
【０００３】
上記入賞装置は、複数個の入賞球を受け入れられるように横幅を広くしてあり、１個づつの球を受けるタイプの入賞口に比較して大型に形成され、この中に開閉扉を開閉作動させるためのソレノイドや、ソレノイドの動作を開閉扉に伝達する連動手段、開閉扉の開放時に点灯し、或いは装飾するランプ、そしてこのランプや上記ソレノイドを作動制御するための電源や信号を送る中継基板等多くの部品類を組込み備えると共に、前記開閉扉の背後にはこの開閉扉を介して飛入する多くの入賞球を受け入れるための部屋、つまり球の飛入空間を設備するものとなっている。
【０００４】
上記球飛入空間は、周知の通り単なる空間ではなく、飛入した入賞球を遊技盤の背後に設けるセーフ球室（入賞球集合室）に速やかに誘導するため、底板を前記開閉扉を備える前面の開口部に対して後方に向けて下り勾配に形成している。
そして、この大入賞口となる入賞装置においては、更に開口部が横に広がるのに併せて上記底板も横長に形成し、この底板に受けた入賞球を前記セーフ球室に導く通路に誘導するため底板の上面を後方に傾斜させ、更にこの誘導通路の入口に向けて勾配を付して整列した状態で誘導できるように設定している。
【０００５】
この様に、開閉扉を備えた大型の入賞装置は、複雑に構成されることに加え、前記底板の如く上面を後傾斜に形成する必要があることから単純に成形することができず、前方に開放する開口部を有しながら成形時には後方を開放した状態で入賞装置の本体部を形成し、これを組立る際には遊技盤に取付けるため用意される取付基板に対しビス止め等によって固定しなければならないものとなっている。
【０００６】
更に厄介なことは、この入賞装置の開口部に開閉扉を組み付けることである。
周知のように、開閉扉は横長の板状をなす扉本体の左右の端部、更に詳しくは扉が起立した状態に閉塞したときに下方になる端部を、開口部の左右の下端部に支軸を介して回動自由に枢着することになるが、このとき軸芯を横向き（左右方向）にする支軸を開口部と開閉扉の間に介挿して枢着するのは、構造上簡単ではなく、またときにはこの枢着部が露出し外観を損ねることがあった。
【０００７】
更に加えて、この入賞装置において、入賞球の飛入口、つまり開口部を上下二段に設定すべく構成した場合、前記入賞球を誘導する底板を二段に設定することにおいて、また各飛入口に対し、それぞれ開閉扉を備える上で構造が更に複雑化してこれら上下の開口部を近接させた状態で設定できない問題があった。
【０００８】
従来、この種大型の入賞装置であって、且つ飛入口を上下二段に備えた入賞装置については例えば特許文献によって公知となっている。
【特許文献１】特開２０００−７９２１２公報。明細書の段落００１０〜００１２及び００１８、００１９。図面の図１、図２、図４、図５、図７。  上記特許文献に開示される入賞装置ユニット２６は、取付基板２５に大入賞口２１と小入賞口２３を上下に開設し、各入賞口に大開閉板３６と小開閉板３８を備え、大入賞口用ソレノイド３９と小入賞口用ソレノイド６９により開閉自由にした構造となっている。そして、この装置においては取付基板２５を共通にして、各入賞口から飛入した入賞球を受ける部屋を別々に形成し、しかもこの大小の入賞口２１，２３の間に横の桟を設けて上下の入賞口を間隔を設けて開設するものとしている。
【０００９】
また、上記各入賞口２１，２３に備えられる大小の開閉板３６，３８は、それぞれ支軸４０，７０によって回動自由に軸承するものとしているが、取付基板２５の背面に固定される軸受に対しては、どの様な関係で軸承するのかについては示されていない。
勿論、当該特許文献に係る入賞装置ユニット２６は、開閉板３６，３８（開閉扉）の取付けに関する提案ではないので、これに関する詳細な説明を欠くものとなっているが、現在実用化されているこの種入賞装置の開閉扉の支軸に関して見る限り、大なり小なり先の特許文献に類したものとなっており、上下の開閉扉にあっては上下個別に軸承する構造になっている。
【発明の開示】
【発明が解決しようとする課題】
【００１０】
本発明は、上述した従来の実情に鑑み、開閉する扉を有する可変型の大入賞口、乃至アタッカーと称される大型の入賞装置、中でも上下二段に飛入球を受け入れる開閉扉付きの入賞口を有してなる入賞装置等、内部構造が複雑で組立が困難であり、しかも構造の複雑さから小型化が難しくなっている入賞装置を改善し、製造性を向上させると共に、遊技盤の設置空間を考慮して狭い空間にも取付けが可能である小型化された入賞装置を提供することにある。
【課題を解決するための手段】
【００１１】
本発明は、上述の目的を達成するため、背板の前方に天板と底板並びに左右の側板を延設し、前面が開放する球飛入空間を形成する本体枠と、この本体枠の前記左右の側板に添わせて相対向する左右の側枠と、前記本体枠の球飛入空間内に棚設される球誘導板と、前記本体枠の開口部に支軸を介して開閉自由に枢着される開閉扉とを有してなる入賞装置を提供することにある。
【００１２】
本発明を更に詳述すれば、背板の前方に天板と底板及び左右の側板を延設して前面が開口する球飛入空間を形成する本体枠と、本体枠の前記左右の側板に添わせて相対向する左右の側枠と、前記本体枠の球飛入空間内に棚設される球誘導板と、前記本体枠の開口部に開閉自由に枢着される開閉扉とを有してなる入賞装置であって、前記本体枠の左右の側板には内面に前後方向に水平な板受部を形成し、前方の開口部から差し入れる前記球誘導板の両端を受け止め前記球飛入空間内に水平に支持する一方、前記左右の側枠の対向面には前記板受部に近接させて軸受孔を形成し、該両側枠を前記本体枠の側板に添わせ固定する際に上記軸受孔に前記開閉扉の側面から突き出す支軸を嵌合させ軸承することにより開閉自由に枢着支持することを特徴とした入賞装置を提供することにある。
【００１３】
また本発明は、背板の前方に天板と底板及び左右の側板を延設して前面が開口する球飛入空間を形成する本体枠と、本体枠の前記左右の側板に添わせて相対向する左右の側枠と、前記本体枠の球飛入空間内に棚設される球誘導板と、前記本体枠の開口部に開閉自由に枢着される開閉扉とを有してなる入賞装置であって、前記本体枠の左右の側板の各内面には上下二段に間隔を置いて水平な板受部を形成し、該上下の板受部にそれぞれ球誘導板を二段に渡して上の球誘導板により球飛入空間を上下に２分し、上下２つの入賞室と開口部を形成する一方、前記側枠の対向面には前記上下の板受部を形成する近傍に上下の軸受孔を左右向い合せに形成し、該それぞれの軸受孔に上下の開閉扉の側部に突設する支軸を嵌合し軸承させて開閉自由に枢着支持することを特徴とした入賞装置を提供することにある。
【発明の効果】
【００１４】
本発明は、開口部を塞ぐ開閉扉の枢着支持に当って左右の側枠の本体枠に対する取付けを利用して簡単に行うことができ、また本体枠の球飛入空間内に形成される入賞室の後方に向けて勾配を付す底板は球誘導板として別体に形成し、組込む構造にしたことから球飛入空間の成形、ひいては本体枠の成形が容易となり、入賞装置の製造性を高めることになる。
【００１５】
また、本発明は本体枠を中心とした中枢の機構部の組立と、裏カバーの組立と、取付基板を中心とした組立とを個別にして、本体枠を中間に配置し、前後から取付基板と裏カバーを添わせ、この取付基板と裏カバーとを連結することを通して本体枠を含む全体の組立を完成させる構造にしたことから、複雑な構造に係るにもかゝわらず極めて簡潔に、しかも高い精度を以て組立製造ができる利点がある。
【００１６】
更に本発明は、本体枠の高さを設定し、球飛入空間を定めたところで側板に形成する板受部に中段の球誘導板を支持させ、これによりこの球飛入空間内部を２つの入賞室に区分でき、またこの板受部及び下方の板受部に合せて側枠に軸受部を形成することから上下の入賞室の各開口部に対して上下の開閉扉を枢着支持することができ、従って、容易に上下２つの入賞口を備えた入賞装置を製造することができることになる。しかも、この上下の入賞口は一つの球飛入空間の中に隣接して設置できるため入賞装置全体の高さを低く設定することができ、これに伴って小型化が可能であり、設置空間の狭い遊技盤面上において極めて有利である。
以下、本発明を実施の形態に基づき具体的に説明すると共に、その他の発明につき併せて詳述することにする。
【発明を実施するための最良の形態】
【００１７】
図面は、本発明に係る入賞装置を上下二段の入賞室と、それぞれの入賞室に入賞球を受け入れる開口部を一体に設けるようにした一実施の形態につき示したもので、図１は完成した本発明の入賞装置の前面側から見た開閉扉を閉塞した状態の斜視図、図２はその平面図、図３は背面図、図４は正面図である。
そして、図５は本発明入賞装置の一部を分解して示した前面側からの斜視図で、図６は同じく本発明の入賞装置の一部を分解して示した背面側から見た斜視図であり、図７は本体枠を中心とした中枢機構部分の前面側から見た分解斜視図である。
【００１８】
また、図１０から図１４は本発明入賞装置の中枢の機構部となる本体枠を中心に部分を組立てた斜視図であり、断面図である。そして、図１５は裏カバーを中心とした前面側から見た分解斜視図であり、また図１６は取付基板を背面側から見た分解斜視図である。
【００１９】
ここに示す本発明入賞装置は、大別して本体枠１を中心にした中枢の機構部分と、入賞装置の前面を飾る取付基板２を中心とした取付装飾部分と、照明ランプ基板３を取付けるランプ基板ホルダ４と電源と制御信号を中継する中継基板５，６を装着し、前記本体枠１の背面を覆う裏カバー７の３部分から構成されている。以下、これらの部分ごとに説明し、装置の全体を明らかにすることにする。
【００２０】
前記中枢機構部分とする本体枠１を中心とした部分につき、図５、図７を中心に説明すると、この本体枠１は起立する横長長方形状の背板８を基準にして上面に天板９を、下面に底板１０を延設し、更に両端部に左右の側板１１，１２を各延設して前方を開放した浅い筺体に形成してあり、前記背板８の中段左隅部と下段右隅部には入賞球を背後の入賞球通路１３，１４に送る通路口１５，１６を開設している。
【００２１】
また左右において対面する前記側板１１，１２には高さの中間部と、最下段であって前記底板１０の上面に沿った２ヶ所に前方から後方に向けて水平に切込む板受部１７，１８及び１９，２０をそれぞれ並行するように形成してある。
この板受部１７，１８及び１９，２０は、筺形をなす前記本体枠１の内部である球飛入空間２１に入賞球を受ける球誘導板２２，２３を設置するための取付部であり、前方の切欠き口から上記球誘導板２２，２３の各左右の端部に設ける嵌合片２４，２５を嵌め入れることによって設置できるようにしてある。
【００２２】
上記２つの球誘導板２２，２３は上面２２ａ，２３ａを後下りの勾配を付してあり、このうち上の球誘導板２２は前記通路口１５に向けて左下りの勾配が付してあり、また下の球誘導板２３には通路口１６に向けて中央部分が低く、そして左右両端が高くなるよう内向きの勾配が付してある。これによってそれぞれの球誘導板２２，２３の上面に入賞球が入ったとき、それぞれの通路口１５，１６に向けて速やかに誘導されるようになっている。
尚、上記球誘導板２２，２３のうち、上段の球誘導板２２は球飛入空間２１内に設置されることによってこの空間を上下に２分し、実質的に本体枠１の内部に２つの独立した空間、即ち入賞室２６，２７を形成することになる。
【００２３】
図中、２８，２９は前記本体枠１の両側部に組付けることによって上下２つの開閉扉３０，３１を前記上段の球誘導板２２によって仕切られる上下の開口部３２，３３に装着する側枠である。
この側枠２８，２９は、内部を中空にした縦長のブロック状に形成してあり、前面の板部には前記上下の球誘導板２２，２３に対応させた位置に、内向きに開口する軸受孔を備えた軸受部３４，３５及び３６，３７を一体に備えている。
【００２４】
一方、この軸受部３４，３５及び３６，３７に支持される前記開閉扉３０，３１にはそれぞれの左右の側部に軸受孔３８，３９を開設し、これに独立して形成する合成樹脂製の支軸４０，４１を受け入れ、止め付けられるようにしてある。
尚、各開閉扉３０，３１には左右の端部の後部に開閉時に開閉範囲を規制するストッパー４２，４３を各突設してあり、このうち上方の開閉扉３０の左方のストッパー４２と下方の開閉扉３１の右方のストッパー４３にはそれぞれ後述するソレノイドによる開閉動作を受ける連動ピン４４，４５を設けてある。
【００２５】
図中４６，４７は、前記本体枠１の天板９と底板１０の各両側から外に向けて延設した弾性を有した係止片であり、４８，４９は前記左右の側枠２８，２９の上下の面に前記係止片４６，４７を受けるため溝形に形成した係止受部である。
左右の側枠２８，２９は本体枠１の側板１１，１２に向けて寄り添わせることで、上下の係止受部４８，４９に前記係止片４６，４７を受け入れ、完全に嵌ったところで先端の爪５０，５１を上記係止受部に設ける凹部５２，５３に掛け止め、一体に組付けられるようにしてある。
【００２６】
左右の側枠２８，２９の上記組付けは、前記球誘導板２２，２３を本体枠１に組込んだのち行われることになるが、ここでは左右のいずれかの側枠２８（又は２９）を本体枠１に組付けたところで、この組付けを完了した側枠の軸受部、例えば左方の側枠２８を組付けた場合にはこの軸受部３４，３５に上下の開閉扉３０，３１の左端部を臨ませ、これに開設する軸受孔３８，３９に嵌め付けた前記支軸４０，４１の他端部を嵌め入れ、上記一方の側枠２８と上記上下の開閉扉３０，３１とを先ず組付け、これにより位置合せをしたところで、次に、上記同様の方法で他方の側枠２９を本体枠に組付け、この組付けを介して上下の開閉扉３０，３１の右端部と右方の側枠２９との間に支軸４０，４１を同様に介挿する。この２つの組付け工程を通して２つの側枠２８，２９の間に上下の開閉扉３０，３１をそれぞれ開閉自由に軸承するのである。
【００２７】
従って、左右両端から側方に向けて支軸４０，４１を突き出す上下の開閉扉３０，３１は、本体枠１を間にして左右から寄り合せる側枠２８，２９間に挟まれることを通してこれら左右の側枠２８，２９に形成する軸受部３４，３５，３６，３７に上記支軸４０，４１を嵌合させることになり、軸承されることになる。そして同時に、上記寄り合う左右の側枠２８，２９が係止片４６，４７によって本体枠１に組付け固定されることから上記支軸４０，４１による上下の開閉扉３０，３１は安定した状態で軸承され、且つ本体枠前面の開口部３２，３３に装着されることになる。
尚、球飛入空間２１内に装着された球誘導板２２，２３は左右の側枠２８，２９が本体枠１に組付けられたとき、各側枠の前縁部に突設する抜止め片５４，５５によって前方への移動が拘束され、安定的に取付くことになる。
【００２８】
図中、５６及び５７は、前記上下の開閉扉３０，３１を開閉作動させるためのソレノイドである。
各ソレノイド５６，５７は同一の構造に係るもので、それぞれはコアにコイルを巻装した励磁体５８と、プランジャ５９、プランジャ５９を常時伸長させ、開閉扉を閉塞した状態に付勢する巻ばね６０と、上記プランジャ５９の前後の伸縮動を揺動運動に変え、前記開閉扉３０，３１の連動ピン４４，４５に伝えるＬ字形の揺動腕６１と、更にこれらの部材を収める合成樹脂製のケース６２から構成されている。
【００２９】
励磁体５８は、ケース６２の後部に収めてプランジャ５９と揺動腕６１を前半部に収め、揺動腕６１の支軸６３をこのケースの前半部に軸着して揺動できるようにしてある。プランジャ５９の前後の動きはピン６４を介して揺動腕６１に伝えられ、他端のＣ字形の受部６５が上下して前記連結ピン４４，４５を上下させることになり、これにより前記開閉扉３０，３１が支軸４０，４１を支点にして開閉することになっている。
【００３０】
この２つのソレノイド５６，５７は、前記左右の側枠２８，２９の背面に別々に取付けられる。そして、ここでは本体枠１の後方に突き出す控部６７と前記側枠２８，２９のそれぞれから後方に向けて延設する係止片６８，６９の間で狭持し、掛け止めることで本体枠１に組込むようにしてある。
上記係止片６８，６９は先端に爪７０，７１を備え、前記控部６７と係止片６８，６９間にソレノイド５６，５７を挟み込ませたとき、前記ケース６２の前部の外側面部に形成する切欠き部７２に前記爪７０，７１を掛け止め固定するようにしてある。
そして、この固定によって揺動腕６１の受部６５を前方の側枠２８，２９の内部に突き出し、この内部に臨む開閉扉３０，３１の各連結ピン４４，４５に滑合して連結されることになる。図８と図９はこのソレノイド５６，５７と上下の開閉扉３０，３１との連結関係を示したものである。
【００３１】
図１０乃至図１４は、上記本体枠１を中心とした中枢機構部を構成する各部を組合せた状態を示す図であり、この様にして組立られる本体枠１の背後に前記裏カバー７が取付けられる。
裏カバー７は、ランプ基板３を装着するランプ基板ホルダー４と、中継基板５，６を装着するようになっており、ランプ基板ホルダー４は図示するように矩形の箱形に形成され中央部に貫通孔７３を穿ち、上縁部には前方に向け突き出す２本の係止片７４，７４を備えている。そして、背面の縁部には内向きに爪を備えた複数の係止片７５を後向きに突き出している。
【００３２】
このランプ基板ホルダー４は上記貫通孔７３に本体枠１の控部６７に後向きに突出する軸７６を嵌合し、更に上縁の２本の係止片７４，７４を本体枠１の天板後部に形成する係止部７７，７７に掛け止めることによってこの本体枠１に組付けられる。そして、ランプ基板３はこの基板ホルダー４の背後から押付け、縁部に係止片７５を掛け止めることによって止着され、組付けられることになる。
【００３３】
一方、裏カバー７は上記ランプ基板ホルダー４を覆う大きさの箱形に形成して左右には前記ソレノイド５６，５７の後部を受け入れる空間７８，７９を形成し、背面には２組の係止爪８０，８０及び８１，８１を立設し、この係止爪によって前記中継基板５，６の縁部を掛け止め止着するようにしてある。
【００３４】
図中８２，８３は前記本体枠の上下の入賞室２６，２７に飛入した入賞球をその通路１３，１４を流下する途中で検出するための検出スイッチであり、８４ａは図示しない他の始動用入賞口に飛入した入賞球を誘導するため前記裏カバー７の背面に形成する通路８４を被うカバーであり、また、８５は同じく他の始動用入賞口からの球を誘導するため設けた誘導通路である。
尚、この２つの通路８４，８５は、本発明の入賞装置の中の空間部分を利用して本装置の上方に設置される入賞装置（例えば前記始動用入賞口）からの球の誘導を円滑に行うもので、構造的にやや大型化する装置の不要部分を逆に利用したものとなっている。
【００３５】
前記取付基板２は、本体枠１の前面を被って装飾すると共に、本発明入賞装置を遊技盤（図示せず）に取付けるためのものであり、この基板２の背面には本体枠１を中心にした機構部を組立てた状態（図１４に示す組立状態を参照。）において本体枠１と左右の側枠２８，２９を抱え込める枠部８６を備え、この枠部に囲まれる中央部分に上下の開口部２６，２７と、これらの開口部を閉ざす開閉扉３０，３１とを臨ませる大型の窓８７を開設する。
【００３６】
上記窓８７は、左右側縁部に側方に向けて拡張する切欠き部８７ａ，８７ｂを設け、後方から基板２の背面に臨む側枠２８，２９の前面の一部が覗くようにしてあり、更にこの切欠き部８７ａ，８７ｂには前面側から飾り部材８８ａ，８８ｂを当接し、基板２の背後から筒状の支持部８９，８９を通してねじ受け９０，９０にねじ付けるねじ（図示せず）により一体に止め付けるようにしてあり、これにより塞ぐと共に、この飾り部材８８ａ，８８ｂを基板の前面から突き出すように取付けるようにしてある。
【００３７】
上記飾り部材８８ａ，８８ｂは、取付基板２に取付くことによって前記窓８７に臨む下方の開口部２７の左右の縁に臨むことになる。このため取付基板２の前面に沿ってこの飾り部材上に打球が落下したとき内向きに傾斜する上面９１ａ，９１ｂで開放する開閉扉３１に向けて誘導できるようになっており、従って、下方の開口部２７が開放したとき一層打球が飛入し易い状態になっている。
尚、飾り部材８８ａ，８８ｂの縞模様の前面部９２ａ，９２ｂは着色半透明にして図示しないＬＥＤ‥‥の光を透し、装飾するようにしてある。また前記ランプ基板３の前面に備えるＬＥＤ９３‥‥の光により球入賞空間２１を装飾するようにしてある。
【００３８】
上記取付基板２と前記裏カバー７とは、それぞれの部品を前述説明のように組付けたのち、前記本体枠１を中心とした中枢機構部分の前後から添わせ、両者の抱き合せによってこの機構部分に組付け、本発明入賞装置を完成させることになる。
この組立に当って、先に裏カバー７を本体枠１の背後に添わせ、前記ランプ基板ホルダ４の貫通孔７３に通した軸７６を裏カバー７の前面に設ける筒形のねじ受部９４に受け止め、このねじ受部９４の背後から通すねじ（図示せず）を前記軸７６の軸端にねじ付けることによってこの裏カバー７と本体枠１とが仮係止されるようにしてある。
【００３９】
その後、本体枠１の前面側から取付基板２を添わせ、裏カバー７の左右の縁部９５に形成するねじ受け透孔９６，９６に取付基板２の枠部８６の左右の枠部分に後向きに設けるねじ受部９７，９７を当接し、上記ねじ受け透孔９６，９６を通して揉み込むねじで、このねじ受部９７，９７とを連結し、取付基板２と裏カバー７の結合を行う。
この結合によって、裏カバー７は軸７６を解して本体枠１に連結し、取付基板２は上記ねじ受け透孔９６とねじ受部９７の連結を介して裏カバー７に結合し、本体枠１に結合することになる。従って、それぞれ個別に部品類を組付けた本体枠１と、取付基板２と、裏カバー７とが一体に組合い本発明の入賞装置を完成させることになる。
【００４０】
尚、本発明に係る入賞装置を製造するに当っては、ソレノイド５６，５７の励磁体５８とプランジャ５９、巻ばね６０と、ランプ基板３、中継基板５，６を除く略全般に亘る部品につき合成樹脂を材料に成形することになる。そして、部品相互を組付ける各種の前記係止片４６，４７，６９，７４，７５，８０，８１等は全て材料が有する弾性を利用して掛け止めることになる。
【００４１】
ところで、この合成樹脂による成形に当って最も構造が複雑となる本体枠１は、前述した如く、球誘導板３０，３１を別体に形成し、球飛入空間２１を前方に開放した単なる筺形に形成することから射出成形によって製造する場合、前後に割る２つの金型で製造することができるものとなる。
【００４２】
また、上記説明の実施の形態では、入賞口を上下に揃えて並設し、この各入賞口に上下の開閉扉を枢着する構造の入賞装置につき説明したが、本体枠１の高さを２分の１にして、高さの途中に水平に渡す球誘導板２２と左右の側板１１，１２に形成する板受部１７，１９を省略すると、本発明の入賞装置を一つの開口部と一つの開閉扉を備えた大入賞装置とすることができる。
勿論この場合、上の開閉扉３０が不要となることに伴って左方のソレノイド５６も不要になり、このソレノイドを操作する中継基板６も不要となることは言うまでもない。
【００４３】
本発明は、上記の如く構成されることから、開口部を塞ぐ開閉扉３０，３１の枢着支持に当って左右の側枠２８，２９の本体枠１に対する取付けを利用して簡単に行うことができ、また本体枠１の球飛入空間内に形成される入賞室の後方に向けて勾配を付す底板は球誘導板２２，２３として別体に形成し、組込む構造にしたことから球飛入空間の成形、ひいては本体枠の成形が容易となり、入賞装置の製造性を高めることになる。
【００４４】
また、本発明は本体枠１を中心とした中枢の機構部の組立と、裏カバー７の組立と、取付基板２を中心とした組立とを個別にして、本体枠１を中間に配置し、前後から取付基板２と裏カバー７を添わせ、この取付基板２と裏カバー７とを連結することを通して本体枠１を含む全体の組立を完成させる構造にしたことから、複雑な構造に係るにもかゝわらず極めて簡潔に、しかも高い精度を以て組立製造ができる利点がある。
【００４５】
更に本発明は、本体枠１の高さを設定し、球飛入空間を定めたところで側板１１，１２に形成する板受部１７，１９に中段の球誘導板２２を支持させ、これによりこの球飛入空間内部を２つの入賞室に区分でき、またこの板受部１７，１９及び下方の板受部１８，２０に合せて側枠２８，２９に軸受部３４，３６及び３５，３７を形成することから上下の入賞室の各開口部２６，２７に対して上下の開閉扉３０，３１を枢着支持することができ、従って、容易に上下２つの入賞口を備えた入賞装置を製造することができることになる。しかも、この上下の入賞口は一つの球飛入空間の中に隣接して設置できるため入賞装置全体の高さを低く設定することができ、これに伴って小型化が可能であり、設置空間の狭い遊技盤面上において極めて有利である。
【図面の簡単な説明】
【００４６】
【図１】本発明に係る入賞装置の斜視図。
【図２】平面図。
【図３】背面図。
【図４】正面図。
【図５】入賞装置の部分の分解斜視図。
【図６】本体枠及び裏カバーを中心とした斜視図。
【図７】本体枠を中心とした斜視図。
【図８】図（Ａ）は上開閉扉とソレノイドの関係を示す斜視図。              図（Ｂ）は図（Ａ）の左側面図。
【図９】下開閉扉とソレノイドの関係を説明する図で、図（Ａ）は開閉扉を開放した状態の斜視図、図（Ｂ）は図（Ａ）の右側面図、図（Ｃ）は開閉扉を閉じた状態の斜視図、図（Ｄ）は図（Ｃ）の右側面図。
【図１０】開閉扉を閉じた状態の本体枠と側枠を中心とした組立状態の斜視図。
【図１１】図１０における開閉扉を開放した状態の斜視図。
【図１２】図１０の中央縦断右側面図。
【図１３】図１１の中央縦断右側面図。
【図１４】開閉扉を開放した状態における本体枠と側枠を中心とした組立状態の斜視図。
【図１５】裏カバーを中心とした入賞装置の部分の分解斜視図。
【図１６】取付基板の分解斜視図である。
【符号の説明】
【００４７】
１            本体枠
２            取付基板
３            ランプ基板
４            ランプ基板ホルダ
５，６        中継基板
７            裏カバー
８            背板
９            天板
１０          底板
１１，１２    側板
１７，１８，１９，２０    板受部
２１          球飛入空間
２２，２３    球誘導板
２６，２７    入賞室
２８，２９    側枠
３０，３１    開閉扉
３４，３５，３６，３７    軸受部
３８，３９    軸受孔
４０，４１    支軸
４６，４７    係止片
４８，４９    係止受部
５６，５７    ソレノイド
【図１】
2006014896.tif 000003
【図２】
2006014896.tif 000004
【図３】
2006014896.tif 000005
【図４】
2006014896.tif 000006
【図５】
2006014896.tif 000007
【図６】
2006014896.tif 000008
【図７】
2006014896.tif 000009
【図８】
2006014896.tif 000010
【図９】
2006014896.tif 000011
【図１０】
2006014896.tif 000012
【図１１】
2006014896.tif 000013
【図１２】
2006014896.tif 000014
【図１３】
2006014896.tif 000015
【図１４】
2006014896.tif 000016
【図１５】
2006014896.tif 000017
【図１６】
2006014896.tif 000018